(57)【要約】【課題】液体製剤を用事に効率良く吸液及び揮散させることができる揮散装置を提供する。【解決手段】本発明にかかる揮散装置１０は、液体製剤Ｌを内部に収容し、上方に開口部１１ｅが形成された貯留容器１１と、液体製剤Ｌが供給される吸液部材１２と、用事前に吸液部材１２が液体製剤Ｌに接触しないように配された遮蔽部材１３と、用事前に開口部１１ｅを封止するように貯留容器１１に嵌合可能な蓋部材１４とを備え、蓋部材１４には貯留容器１１の内部に延びて吸液部材１２が収納された柱部１５が設けられ、柱部１５の先端面１６には、柱部１５の内部に連通する孔部１６ｃが形成された突部１６ａと、用事に蓋部材１４を下降させることで遮蔽部材１３の一部を破断させる歯状突部１６ｂとが備えられ、歯状突部１６ｂを貯留容器１１の底部１１ｃに当接又は近接させた状態で突部１６ａと底部１１ｃには隙間がある。【選択図】      図１
2004230146.tif 000002
【特許請求の範囲】
【請求項１】
液体製剤を内部に収容し、上方に開口部が形成された貯留容器と、前記液体製剤が供給される吸液部材と、用事前に前記吸液部材が前記液体製剤に接触しないように配された遮蔽部材と、用事前に前記開口部を封止するように前記貯留容器に嵌合可能な蓋部材とを備えた揮散装置であって、
前記蓋部材には前記貯留容器の内部に延びて前記吸液部材が収納された柱部が設けられ、該柱部の先端面には、前記柱部の前記内部に連通する孔部が形成された突部と、用事に前記蓋部材を下降させることで前記遮蔽部材の一部を破断させる歯状突部とが備えられ、前記歯状突部を前記貯留容器の底部に当接又は近接させた状態で前記突部と前記底部には隙間があることを特徴とする揮散装置。
【請求項２】
前記突部と前記歯状突部とが前記液体製剤を表面張力によって保持可能な隙間を介して配されていることを特徴とする請求項１に記載の揮散装置。
【請求項３】
前記蓋部材には、第１の係合突起が形成され、且つ、前記貯留容器には、該第１の係合突起と係合させることで前記蓋部材と前記貯留容器とが互いに嵌合する位置を保持可能な第２の係合突起が形成されていることを特徴とする請求項１又は２に記載の揮散装置。
【請求項４】
前記歯状突部は、前記先端面上において前記蓋部材を回動する方向に沿って湾曲するように設けられ、且つ、前記蓋部材の回動方向前方へ向かって次第に突出量が増加するように傾斜されていることを特徴とする請求項１から３のいずれか１つに記載の揮散装置。
【請求項５】
用事前に前記蓋部材が下降することを規制しつつ、用事に取り外し可能なストッパを備え、該ストッパにはつまみ部が形成されていることを特徴とする請求項１から４のいずれか１つに記載の揮散装置。
【請求項６】
前記柱部には、該柱部の鉛直方向に沿って延びるスリットが形成されていることを特徴とする請求項１から５のいずれか１つに記載の揮散装置。
【請求項７】
前記歯状突部による前記遮蔽部材の一部の破断による前記吸液部材への前記液体製剤の供給のための供給用開口の開放、および前記貯留容器の内部を大気に連通させるための前記遮蔽部材の一部の破断による空気挿通用開口の開放、を同時に行うための同時開放手段を更に備えていることを特徴とする請求項１から６のいずれか１つに記載の揮散装置。
【請求項８】
前記蓋部材における前記柱部の基端部には、前記遮蔽部材の内部に連通する空気穴と、歯状突部と、が形成され、且つ、前記遮蔽部材には、用事に前記蓋部材を下降させることで前記歯状突部により破断され、前記空気穴を通じて、前記貯留容器の内部を大気に連通させる突起部が、更に形成されていることを特徴とする請求項１から７のいずれか１つに記載の揮散装置。
【発明の詳細な説明】
【０００１】
【発明の属する技術分野】
本発明は、室内等の空間に、液体製剤に含まれた芳香成分や消臭成分等の有効成分を、用事に揮散及び拡散させることができる揮散装置に関する。
【０００２】
【従来の技術】
従来、揮散装置として、内部に芳香成分等の有効成分を含む液体製剤を収容し、用事に吸液部材に供給して含浸させ、その吸液部材から有効成分を揮散させるものが用いられている。このような揮散装置としては、流通の過程や用事前に、揮散装置の内部に収容された液体製剤から有効成分が揮散されないようにするため、吸液部材と液体製剤との間に遮蔽部材を設けることで、液体製剤が吸液部材に接触しないようにする構造を有するものが提案されている（例えば、特許文献１参照）。
【０００３】
【特許文献１】
実公平８−４０２８号公報
【０００４】
【発明が解決しようとする課題】
ところで、上記の揮散装置は、用事には使用者が遮蔽部材を別の部材で破断させ、液体製剤を吸液部材に吸液せしめて使用する構造である。このような構造の場合、液体製剤が残りわずかな状態になると、遮蔽部材の破断された箇所へ流入しづらくなる。このため、上記の揮散装置は最後まで液体製剤をスムーズに吸液できない点で改善の余地があった。
【０００５】
この発明は、このような事情に鑑みてなされたもので、その目的は、液体製剤を用事に効率良く吸液及び揮散させることができる揮散装置を提供することにある。
【０００６】
【課題を解決するための手段】
上記の本発明の目的は、液体製剤を内部に収容し、上方に開口部が形成された貯留容器と、前記液体製剤が供給される吸液部材と、用事前に前記吸液部材が前記液体製剤に接触しないように配された遮蔽部材と、用事前に前記開口部を封止するように前記貯留容器に嵌合可能な蓋部材とを備えた揮散装置であって、前記蓋部材には前記貯留容器の内部に延びて前記吸液部材が収納された柱部が設けられ、該柱部の先端面には、前記柱部の前記内部に連通する孔部が形成された突部と、用事に前記蓋部材を下降させることで前記遮蔽部材の一部を破断させる歯状突部とが備えられ、前記歯状突部を前記貯留容器の底部に当接又は近接させた状態で前記突部と前記底部には隙間があることを特徴とする揮散装置によって達成される。
【０００７】
このような構成を有する揮散装置とすれば、使用者が用事に蓋部材を下降させることで、蓋部材の柱部先端面に形成された歯状突部によって前記遮蔽部材を破断させると、柱部の突部の孔部から貯留容器内に収容された液体製剤が柱部の内部に流入する。そして、流入した液体製剤は柱部の内部に配された吸液部材に吸液される。吸液部材に吸液された液体製剤中の有効成分が揮散装置の外部の雰囲気に揮散される。
また、前記蓋部材を下降させたときに前記突部と前記貯留容器とが接触しないため、液体製剤が突部の孔部にスムーズに流入するうえ、貯留容器内の液体製剤を最後までスムーズに吸液することができる。
上記の揮散装置は、遮蔽部材によって吸液部材と液体製剤とが用事前に接触することを防止することができる。また、揮散装置は、用事において、使用者が遮蔽部材を貯留容器から取り外して吸液部材が液体製剤と接触するように蓋部材を貯留容器に取り付けるといった煩雑な作業をする必要がないため、使い勝手が良い。このとき、使用者の手に液体製剤が付着することがない。
また、蓋部材を貯留容器から取り外す必要がないため、液体製剤がこぼれたり、揮散装置から液漏れすることを防止することができる。
さらに、用事には蓋部材を回動させることで遮蔽部材を破断させることができるので、単に、遮蔽部材に対して垂直に突き破る構成に比べて使用者は大きな力をかける必要がない。
しかも、用事前に揮散装置から取り出して破棄する、いわゆる捨てキャップを必要としないため、揮散装置における部品点数を少なくすることができる。
さらには、流通時に揮散装置の使用形態を容易に想像することができる。包装形態を小さくすることができる。
【０００８】
上記の揮散装置は、前記突部と前記歯状突部とが前記液体製剤を表面張力によって保持可能な隙間を介して配されていることが好ましい。
こうすれば、液体製剤の残りがわずかな場合には、貯留容器の液体製剤が突部と歯状突部とによる表面張力によって柱部の先端面で保持され、保持された液体製剤が突部の孔部を介して柱部の内部に流入する。このため、液体製剤が残りわずかになってもスムーズに吸液部材に吸液させることが可能である。
【０００９】
上記の揮散装置は、前記蓋部材に、第１の係合突起が形成され、且つ、前記貯留容器には、該第１の係合突起と係合させることで前記蓋部材と前記貯留容器とが互いに嵌合する位置を保持可能な第２の係合突起が形成されていることが好ましい。
こうすれば、第１の係合突起と第２の係合突起とを互いに係合させることで、例えば、製造段階においてストッパが取り付けられていない状態であっても蓋部材を貯留容器に嵌合させた状態を保持することができ、不測に蓋部材が回動することを防止することができる。流通時に振動によって蓋部材が貯留容器からはずれることを防止することができる。
【００１０】
上記の揮散装置は、前記歯状突部が、前記先端面上において前記蓋部材を回動する方向に沿って湾曲するように設けられ、且つ、前記蓋部材の回動方向前方へ向かって次第に突出量が増加するように傾斜されていることを特徴とする揮散装置によって達成される。
このような構成を有する揮散装置とすれば、前記蓋部材を回動させながら下降させることで、歯状突部が遮蔽部材を突き破りつつ、遮蔽部材の所定範囲を切り抜き、この切り抜かれた箇所が他の遮蔽部材と、液体製剤が流入可能に分裂する。このため、貯留容器内の液体製剤をスムーズに流入せしめることができる。
【００１１】
上記の揮散装置は、用事前に前記蓋部材が下降することを規制しつつ、用事に取り外し可能なストッパを備え、該ストッパにはつまみ部が形成されていることを特徴とする揮散装置によって達成される。
このような構成を有する揮散装置とすれば、使用者は、用時につまみ部を把持して引き抜くことでストッパを取り外すことができる。
【００１２】
上記の揮散装置は、前記柱部に、該柱部の鉛直方向に沿って延びるスリットが形成されていることを特徴とする揮散装置によって達成される。
このような構成を有する揮散装置とすれば、用事において遮蔽部材を破断させた際に、貯留容器の液体製剤が突部の孔部からだけでなくスリットからも柱部の内部に流入するため、液体製剤をより一層スムーズに吸液することができる。
【００１３】
上記の揮散装置は、前記歯状突部による前記遮蔽部材の一部の破断による前記吸液部材への前記液体製剤の供給ための供給用開口の開放、および前記貯留容器の内部を大気に連通させるための前記遮蔽部材の一部の破断による空気挿通用開口の開放、を同時に行うための同時開放手段を更に備えていることを特徴とする揮散装置によって達成される。
このような構成を有する揮散装置とすれば、使用者が用事に蓋部材を下降させることで、蓋部材の柱部先端面に形成された歯状突部によって遮蔽部材の一部が破断されて吸液部材への液体製剤の供給ための供給用開口が開放されると同時に、貯留容器の内部を大気に連通させるための遮蔽部材の一部の破断による空気挿通用開口の開放が行われるので、柱部の突部の孔部から貯留容器内に収容された液体製剤が柱部の内部に流入する。このとき、貯留容器の内部が大気に連通される。よって、流入した液体製剤が柱部の内部に配された吸液部材により一層効率よく吸液される。
【００１４】
上記の揮散装置は、前記蓋部材における前記柱部の基端部に、前記遮蔽部材の内部に連通する空気穴と、歯状突部と、が形成され、且つ、前記遮蔽部材に、用事に前記蓋部材を下降させることで前記歯状突部により破断され、前記空気穴を通じて、前記貯留容器の内部を大気に連通させる突起部が、更に形成されていることを特徴とする揮散装置によって達成される。
このような構成を有する揮散装置とすれば、使用者が用事に蓋部材を下降させることで、蓋部材の柱部先端面に形成された歯状突部によって遮蔽部材の一部が破断されると同時に、蓋部材の柱部基端部に形成された歯状部材によって遮蔽部材の突起部が破断され、柱部の突部の孔部から貯留容器内に収容された液体製剤が柱部の内部に流入する。このとき、蓋部材の空気穴および遮蔽部材の破断された突起部により貯留容器の内部が大気に連通される。そして、流入した液体製剤が柱部の内部に配された吸液部材に、より一層効率よく吸液される。
なお、蓋部材の空気穴は、予め開口しているもの、または用事に開口されるもの、のいずれでもよい。
【００１５】
貯留容器の材質、形状は特に限定されず、液体製剤を安定に収容できるものであればよく、その材質として、ポリエチレンテレフタレート（以下、ＰＥＴともいう）、ポリエチレン、ポリプロピレン等のプラスチック、ガラス、セラミック、陶器、磁器、漆器、竹、木、ゴム、金属等を例示できる。
貯留容器は、その内側底面の中央に液体製剤が集まるような形状であることが好ましい。
吸液部材の材質としては、有機材料、無機材料のいずれでも用いることができる。好ましくは樹脂であり、具体的にはＰＥＴ、アクリル樹脂（以下、ＰＡともいう）、ポリプロピレン、ポリエチレンの１種あるいは２種以上を挙げることができる。特にＰＥＴ又はＰＡを用いた多孔性材料が好ましく、これにより、液体製剤中に含まれる有効成分の揮散性及び拡散性が一層改善される。なお、吸液部材に、風、熱風をあてたり、あるいは吸液部材を、ヒータにより加熱したりして液体製剤の有効成分の拡散力を向上させることもできる。あるいは、超音波振動器により液体製剤を吸液部材から霧化させて有効成分の拡散力を向上させてもよい。
【００１６】
本発明に用いることができる液体製剤としては、有効成分として芳香成分及び／又は消臭成分、忌避剤、防虫剤、殺菌剤、防カビ剤、殺虫剤、昆虫成長調整剤等を含むものが挙げられる。
芳香成分としては、例えば、ハッカ油、ペパーミント油、スペアミント油、イグサ、ヒノキ、シトロネラ、シトラール、シトロネラール、レモン、レモングラス、オレンジ、ユーカリ、ラベンダー等の精油成分及びそれらから得られる芳香成分が挙げられる。
消臭成分としては、例えば、メタクリル酸ラウリル、メチル化サイクロデキストリン、植物抽出エキス（例えば、ツバキ、バラ、キク、マツ、スギ、オオバコ等から得られるエキス）、植物精油（例えば、茶抽出物、カテキン、植物ポリフェノール、リナロール、メントール、ボルネオール）、界面活性剤等が挙げられる。
【００１７】
【発明の実施の形態】
以下、本発明にかかる複数の好適な実施の形態例を図面に基づいて詳しく説明する。図１は、本発明の第１実施形態にかかる揮散装置の全体断面図を示している。
図１に示すように、本発明の第１実施形態である揮散装置１０は、液体製剤Ｌを内部に収容した樹脂（例えば、ＰＥＴなど）からなる貯留容器１１と、液体製剤Ｌが供給される樹脂製の吸液部材１２と、揮散装置１０の使用前（用事前）に吸液部材１２が液体製剤Ｌに接触しないように配された遮蔽部材１３と、開口部を封止するように貯留容器１１に嵌合可能に設けられた蓋部材１４とによって概略構成されている。
【００１８】
貯留容器１１は、内部に液体製剤Ｌを収納する空間が形成される本体１１ａと、本体１１ａから上方（図１に向かって上側）に立ち上げられた円筒状の立設部１１ｂとを有するように構成されている。本体１１ａの、立設部１１ｂに囲まれた部位は開口するように形成されており、立設部１１ｂの内周面によって開口部１１ｅが区画されている。また、立設部１１ｂは、その外周面に、おねじ部２３が形成されている。
【００１９】
遮蔽部材１３は、筒形状を有し、開口部１１ｅを介して貯留容器１１の内部に挿入されている。このとき、遮蔽部材１３は、一方の端部が貯留容器１１の液体製剤Ｌに浸された状態で配されており、この端部は、端面１３ａによって密閉されている。言い換えれば、遮蔽部材１３は底のある筒形状である。
この遮蔽部材１３は、底面を構成する端面１３ａの内面側における外周側に、周方向にわたって切り込むことにより薄肉部１３ｂが設けられている。
【００２０】
遮蔽部材１３の上端部には、顎部１３ｃが環状に突設している。顎部１３ｃは、遮蔽部材１３を貯留容器１１の内部に挿入させた状態で、貯留容器１１の立設部１１ｂの上方端部に係合して固着されている。このとき、遮蔽部材１３は、密閉された下端部が、貯留容器１１の底部１１ｃから僅かに隙間をあけて貯留容器１１の液体製剤Ｌに浸された状態になるように配される。
なお、遮蔽部材１３の材質としては、例えば、樹脂、金属、耐水性ラミネート材、ゴム、木、竹などを用いることができる。
【００２１】
吸液部材１２は、蓋部材１４の上方に露呈する揮散部１２ａと、液体製剤Ｌを吸液する吸液部１２ｂとを有している。
蓋部材１４は、貯留容器１１の内部に延びる柱部１５を有し、この柱部１５の内部には、吸液部材１２の吸液部１２ｂが配されている。
柱部１５には、その先端側に、鉛直方向に沿って延びる複数のスリット１５ａが形成されている。
【００２２】
図２は、図１に示す柱部の先端面の要部斜視図である。
図２に示すように、柱部１５の先端面１６は、柱部１５の内部に連通する孔部１６ｃが形成された突部１６ａを有している。また、柱部１５の先端面１６には、その外周側に周方向に沿う一対の歯状突部１６ｂが形成されている。なお、これら歯状突部１６ｂは、柱部１５の中心に形成された突部１６ａよりも僅かに突出している。さらに、柱部１５の先端面１６には、突部１６ａの外周側に、複数の開口部１６ｄが形成されている。
【００２３】
蓋部材１４は、柱部１５の上端部分に、外側へ折り返してなる頭部１７を有している。
この頭部１７には、その内周面にめねじ部２１が形成されており、貯留容器１１の立設部１１ｂに形成されたおねじ部２３に螺合する構造とされている。
【００２４】
図３（ａ）に示すように、蓋部材１４は、その頭部１７を把持して図中矢印Ｒ方向へ回動させると、頭部１７がねじ込まれ、これにより柱部１５が下方（図中矢印Ｐ方向）へ下降し、先端面１６に形成された歯状突部１６ｂが遮蔽部材１３の端面１３ａの薄肉部１３ｂに摺接しながら食い込み、図３（ｂ）に示すように、遮蔽部材１３の端面１３ａが破断されて切り取られる。
【００２５】
図２及び図３に示すように、歯状突部１６ｂは、蓋部材１４をねじ込むための回動方向Ｒに沿って湾曲するように形成され、しかも、この蓋部材１４の回動方向Ｒ前方へ向かって次第に突出量が増加するように傾斜されている。
つまり、このような形状の歯状突部１６ｂでは、蓋部材１４を回動させて柱部１５を下降させることで、歯状突部１６ｂが遮蔽部材１３の端面１３ａを容易に突き破りつつ所定範囲を切り抜き、流入可能に分離する。
【００２６】
図２に示すように、本実施形態における揮散装置１０は、突部１６ａと歯状突部１６ｂとが液体製剤Ｌを表面張力によって保持可能な隙間を介して配されている。つまり、突部１６ａと歯状突部１６ｂとの柱部径方向における間隔は、液体製剤Ｌを表面張力によって保持できるように形成されている。
また、歯状突部１６ｂを貯留容器１１の底部１１ｃに当接させた状態で突部１６ａと底部１１ｃとの間に隙間が形成される。言い返れば、蓋部材１４を限界まで下降させた状態で、歯状突部１６ｂが貯留容器１１の底部１１ｃに当接し、突部１６ａは底部１１ｃに接しない構造である。
【００２７】
図４に示すように、蓋部材１４には、めねじ部２１が形成された内周面に、係合突起（第１の係合突起）２２が形成されている。また、図５に示すように、貯留容器１１の立設部１１ｂには、おねじ部２３が形成された外周面に、一対の係合突起（第２の係合突起）２４が形成されている。
蓋部材１４を立設部１１ｂに嵌合し、下方へ回動すると、蓋部材１４側の係合突起２２が立設部１１ｂ側の一方の係合突起２４に当接する。そして、さらに押し回すと、当接した一方の係合突起２４を乗り越えて、蓋部材１４の係合突起２２が他方の係合突起２４の間に配設され、蓋部材１４の回動が規制される。
【００２８】
図１に示すように、貯留容器１１の立設部１１ｂの根元部分（図１における下方部分）には、この立設部１１ｂに着脱可能なストッパ１９が設けられている。このストッパ１９は、図６に示すように、一部に切欠部１９ｃを有する環状部１９ａと、切欠部１９ｃの略反対側に設けられたつまみ部１９ｂとを有している。
【００２９】
このストッパ１９は、切欠部１９ｃを貯留容器１１の立設部１１ｂの根元部分に押し当てて押し込むことにより、環状部１９ａに立設部１１ｂが嵌合した状態に装着されている。そして、このストッパ１９を立設部１１ｂへ装着した状態にて、蓋部材１４の下降が防止される。
また、このストッパ１９は、つまみ部１９ｂを把持して引っ張ることにより、立設部１１ｂから取り外される。そして、このストッパ１９を立設部１１ｂから取り外すことにより、蓋部材１４の押し込みの防止が解除される。
【００３０】
図１及び図７に示すように、蓋部材１４には、その上端部における上方開口部１７ｂの縁部に、複数の支持片１７ａが周方向に間隔をあけて形成されている。支持片１７ａは、吸液部材１２を揮散装置１０に装着した状態で、揮散部１２ａが蓋部材１４の頭部１７の上端面に接触しないように吸液部材１２を上方に支持する。このため、揮散部１２ａと、頭部１７との間から空気が吸液部１２ｂに適当に流入するため、揮散部１２ａにおける液体製剤Ｌの揮散がスムーズになる。
【００３１】
次に、上記構成の揮散装置１０の用事における作用について説明する。
揮散装置１０を使用する場合、貯留容器１１の立設部１１ｂの根元に取り付けられているストッパ１９を、そのツマミ１９ｂを把持して引っ張ることにより取り外す。
次いで、蓋部材１４の頭部１７を把持してねじ込み方向（図３中矢印Ｒ方向）へ回動させる。
【００３２】
こうすると、立設部１１ｂ側の係合突起２４同士の間に配設されていた蓋部材１４側の係合突起２２がねじ込み方向前方側の係合突起２４を乗り越え、蓋部材１４の回動の規制が解除される。
さらに蓋部材１４を回動させると、蓋部材１４の柱部１５が回動しながら下降する。柱部１５の先端面１６の歯状突起１６ｂが、遮蔽部材１３の端面１３ａの薄肉部１３ｂに摺接しながら食い込み、さらに回動させると、遮蔽部材１３の端面１３ａの一部が破断されて切り取られる。遮蔽部材１３の端部が開口され、歯状突起１６ｂが貯留容器１１の底部１１ｃに当接し、突部１６ａが貯留容器１１の底部１１ｃから僅かに隙間をあけた状態に配設される。ここで、歯状突起１６ｂは、液体製剤の流入を妨げない範囲で、貯留容器１１の底部１１ｃに近接する（わずかな隙間を介して位置する）ように構成されていてもよい。
【００３３】
これにより、貯留容器１１の本体１１ａに貯留されている液体製剤Ｌが、遮蔽部材１３の端面１３ａから内部に流入し、柱部１５の孔部１６ｃ、開口部１６ｄ及びスリット１５ａから柱部１５の内部にも流入して吸液部材１２の吸液部１２ｂに吸収される。
そして、この吸液部材１２の吸液部１２ｂに吸収された液体製剤Ｌは、吸液部１２ｂにて吸い上げられ、上端部の揮散部１２ａから空気中に揮散される。
【００３４】
ここで、支持片１７ａによって揮散部１２ａが蓋部材１４の上端部に密着することなく隙間をあけて配設されている。このため、支持片１７ａ同士の間が開口されているので、この開口部分から貯留容器１１内に外気が適度に流入し、吸液部材１２の吸液部１２ｂへ液体製剤Ｌのスムーズに吸液される。
【００３５】
上記のように、本実施形態にかかる揮散装置は、用事に柱部１５を下降させた状態で、突部１６ａが、貯留容器１１の底部１１ｃに対して僅かに隙間をあけた位置に配設されている。また、突部１６ａと歯状突部１６ｂとが液体製剤Ｌを表面張力によって保持可能な隙間を介して配されている。このため、液体製剤Ｌの揮散が進み、貯留容器１１内の液体製剤Ｌの残量が減少し、液体製剤Ｌが貯留容器１１の底部１１ｃに僅かに残った状態となっても、液体製剤Ｌが先端面１６に保持され、孔部１６ｃを介して吸液部材１２の吸液部１２ｂに確実に吸液される。これにより、揮散装置１０は、貯留容器１１内の液体製剤Ｌを最後までスムーズに吸液することができる。
【００３６】
また、上記構造の揮散装置１０では、用事において、使用者が遮蔽部材１３を貯留容器１１から取り外して吸液部材１２が液体製剤Ｌと接触するように蓋部材１４を貯留容器１１に取り付けるといった煩雑な作業をする必要がないため、使い勝手を良好にすることができ、また、このとき、使用者の手に液体製剤Ｌが付着するような不具合もなくすことができる。
蓋部材１４を貯留容器１１から取り外す必要がないため、液体製剤Ｌが揮散装置１０から液漏れするのを防止することができる。
さらに、用事には蓋部材１４を回動させることで遮蔽部材１３を破断させることができるので、単に、遮蔽部材１３に対して垂直に突き破る構成に比べて使用者は大きな力をかける必要がない。
しかも、用事前に揮散装置１０からいわゆる捨てキャップを取り出して破棄する必要がないので、揮散装置１０における部品点数を少なくすることができる。
また、流通時に揮散装置１０の使用形態を容易に想像することができ、さらに、包装形態を小さくすることができる。
【００３７】
揮散装置１０は、蓋部材１４の係合突起２２と立設部１１ｂの係合突起２４とを互いに係合させることで、例えば、製造段階においてストッパ１９が取り付けられていない状態であっても蓋部材１４を貯留容器１１に嵌合させた状態を保持することができる。このため、用事前において不測に蓋部材１４が回動することを防止することができる。
なお、上記の例では、蓋部材１４側に一つの係合突起２２を形成し、立設部１１ｂ側に二つの係合突起２４を形成したが、互いに係合して蓋部材１４の不測の回動を規制することができれば、係合突起２２、２４の数や形成位置は上記の例に限定されず、例えば、蓋部材１４側に二つの係合突起２２を形成し、立設部１１ｂ側に、一つの係合突起２４を形成しても良い。
【００３８】
また、蓋部材１４を回動させつつ下降させることで、歯状突部１６ｂが遮蔽部材１３の底面１３ａを突き破りつつ、遮蔽部材１３の端面１３ａの所定範囲を切り抜き、この切り抜いた箇所を流入可能に分裂することができ、貯留容器１１内の液体製剤Ｌをスムーズに柱部１５内へ流入させることができる。
さらに、使用者は、用時にストッパ１９のつまみ部１９ｂを把持して引き抜くことで、このストッパ１９を取り外し、蓋部材１４の回動の禁止を解除して使用可能な状態とすることができる。
また、用事において遮蔽部材１３を破断させた際に、貯留容器１１の液体製剤Ｌが、突部１６ａの孔部１６ｃからだけでなくスリット１５ａからも柱部１５内に流入するため、液体製剤Ｌより一層スムーズに吸液部材１２の吸液部１２ｂに吸液させることができる。
【００３９】
次に、図８〜図１２を参照して本発明にかかる第２実施形態を説明する。図８は、本発明の第２実施形態にかかる揮散装置の全体断面図を示している。尚、第２実施形態において、既に説明した部材等と同様な構成・作用を有する部材等については、図中に同一符号または相当符号を付することにより、説明を簡略化或いは省略する。
【００４０】
図８に示すように、本発明の第２実施形態である揮散装置３０は、遮蔽部材１３に突起部１３ｄが形成され、蓋部材１４の頭部１７に空気穴１７ｅ（図９参照）と歯状突部１７ｆとが形成されている。
【００４１】
図９は図８に示す遮蔽部材１３および蓋部材１４の要部破断斜視図である。
図９に示すように、突起部１３ｄは、遮蔽部材１３の上端寄りにおいて、顎部１３ｃの内周部に、二対、突起状に形成されている。尚、突起部１３ｄは二対ではなく一対のみ形成されていてもよい。突起部１３ｄは、それらの天板部分が、薄肉に成形されており、用事に蓋部材１４が下降された際に蓋部材１４の歯状突部１７ｆにより破断される。これにより、貯留容器１１の内部と遮蔽部材１３の内部とが連通する。尚、突起部１３ｄは、それらの天板部分が薄肉に形成されるだけでなく、更にそれらの側板部が薄肉に形成されていてもよいことは言うまでもない。
【００４２】
空気穴１７ｅは、蓋部材１４の柱部１５の基端部である頭部１７の内周壁の底部を貫通するように、一対、配されている。これら空気穴１７ｅは、柱部１５の外周囲、つまり、遮蔽部材１３の内部を外気（大気）に常時連通させる。
【００４３】
歯状突部１７ｆは、空気穴１７ｅの外側で頭部１７の内周壁の底部上に円周方向に沿って、二対、配置されている。これら歯状突部１７ｆは、上述したように用事に蓋部材１４が下降された際に遮蔽部材１３の突起部１３ｄの天板部分を破断できるように配されている。尚、歯状突部１７ｆは、図２に示されるような三角形の歯状突部１６ｂとは異なり、図９に示されるように矩形を有しているが、実施可能な限り、その形状は任意である。
【００４４】
図１０は、図８に示す蓋部材１４を下降した際の要部断面図である。図１０に示すように、歯状突部１７ｆは、円周方向にそれぞれ同一の突出量を持って形成されており、蓋部材１４の頭部１７が把持されて（図２中矢印Ｒ方向参照）回動されると、頭部１７がねじ込まれ、これにより柱部１５が下方（図３中矢印Ｐ方向参照）へ下降された際に、突起部１３ｄの薄肉の天板部分に摺接しながら食い込んで突起部１３ｄを破断する。これにより、貯留容器１１の内部が、破断された突起部１３ｄ、および遮蔽部材１３の空気穴１７ｅを通じて外気に連通され、貯留容器１１の内部が陰圧とならずに、柱部１５の内部に配された吸液部材１２に、液体製剤Ｌがより一層効率よく吸液される。
【００４５】
図１１に示すように、本実施形態においては、貯留容器１１の立設部１１ｂに形成されたおねじ部２３が２条ねじになっており、これに対応して、図８に示す蓋部材１４における頭部１７の内周面に形成されためねじ部２１も２条ねじになっている。そのため、蓋部材１４の立設部１１ｂへのねじ込みを、より小さな力で行うことができる。尚、貯留容器１１の立設部１１ｂの外周面には、一対の係合突起（第２の係合突起）２４の下方に、一対のラチェット（突起）１１ｆが形成されている。
【００４６】
図１２に示すように、本実施形態においては、ストッパ１９の環状部１９ａの開口側の端部が先細状に形成されており、切欠１９ｃに、互いに平行に配された平行面１９ｃ１が形成されている。また、環状部１９ａのつまみ部１９ｂ側には、凹状に切除されたカット部１９ａ１が形成されている。このように構成されたストッパ１９によれば、蓋部材１４の下降を防止するために切欠部１９ｃを貯留容器１１の立設部１１ｂの根元部分に押し当てて押し込んで、環状部１９ａを立設部１１ｂに嵌合するに際し、カット部１９ａ１により環状部１９ａが弾性変形しやすくなり、平行面１９ｃ１により立設部１１ｂの根元部分との摩擦が和らげられるため、押し込みを、よりスムーズに行うことができる。また、蓋部材１４の押し込みの防止を解除する際にも、同様にして、カット部１９ａ１および平行面１９ｃ１により、取り外しを、よりスムーズに行うことができる。
【００４７】
また、図８に示すように、吸液部材１２は、蓋部材１４の上方に露呈する揮散体１２ａ１と、液体製剤Ｌを吸液する吸液部１２ｂ１とが別体に形成され、吸液部１２ｂ１が揮散体１２ａ１に一体的に結合されている。この吸液部材１２は、図１に示されるものと同様に、蓋部材１４の上方に露呈する揮散部１２ａと、液体製剤Ｌを吸液する吸液部１２ｂと、が一体に形成されていてもよい。
【００４８】
上記のように、第２実施形態にかかる揮散装置は、使用者が用事に蓋部材１４を下降させることで、蓋部材１４の柱部１５先端面に形成された歯状突部１６ｂによって遮蔽部材１３の端面１３ａの薄肉部１３ｂが破断されると同時に、蓋部材１４の柱部１５の基端部に形成された歯状突部１７ｆによって遮蔽部材１３の突起部１３ｄが破断され、柱部１５の突部１６ａの孔部１６ｃから貯留容器１１内に収容された液体製剤Ｌが柱部１５の内部に流入する。このとき、蓋部材１４の空気穴１７ｅおよび遮蔽部材１３の破断された突起部１３ｄにより貯留容器１１の内部が大気に連通される。そして、流入した液体製剤Ｌが柱部１５の内部に配された吸液部材１２に、より一層効率よく吸液される。
【００４９】
即ち、第２実施形態にかかる揮散装置は、歯状突部１６ｂによる遮蔽部材１３の一部の破断による吸液部材１２への液体製剤Ｌの供給ための供給用開口（即ち、遮蔽部材１３の端面１３ａに形成される開口）の開放、および貯留容器１１の内部を大気に連通させるための遮蔽部材１３の一部の破断による空気挿通用開口（即ち、突起部１３ｄの破断により形成される開口）の開放、を同時に行うための同時開放手段を備えている。従って、この同時開放手段は、前述した空気挿通用開口および吸液部材１２への液体製剤Ｌの供給ための供給用開口を同時に開放する上で、歯状突部１７ｆの先端を通る線（即ち、図８において横方向に延びる想像線）と歯状突部１６ｂの先端を通る線（即ち、歯状突部１７ｆの先端を通る線と平行な、図８において横方向に延びる、想像線）との間に垂直な線（即ち、図８において縦方向に延びる想像線）を延ばした際の当該線の距離（長さ）と、突起部１３ｄの天面を通る線（即ち、図８において横方向に延びる想像線）と薄肉部１３ｂの天面を通る線（即ち、突起部１３ｄの天面を通る線と平行な、図８において横方向に延びる、想像線）との間に垂直な線（即ち、図８において縦方向に延びる想像線）を延ばした際の当該線の距離（長さ）とが略等しくなるように、構成されている必要がある。
【００５０】
なお、本発明は、前述した実施形態に限定されるものではなく、適宜な変形、改良などが可能である。
例えば、図１３に示すように、吸液部材３２の揮散部３２ａを花弁を模った形状としてもよい。また、蓋部材１４の頭部１７と下方鍔部１７ｃとの間に、周方向に間隔を隔てて葉を模った装飾部３４を取り付けたリング部３３を嵌め込み、造花状の揮散装置としてもよい。このような構造において、使用者は、下方鍔部１７ｃを把持することで揮散部３２ａに触れることなく蓋部材１４を回動させることができる。また、図１３に示すように、頭部１７の外周側及び下方鍔部１７ｃの内周側に一対の嵌合片１７ｄを設け、頭部１７と下方鍔部１７ｃとの間にリング部３３を確実に嵌め込むことができるように嵌合片１７ｄ同士の間でリング部３３を挟み込む構成としてもよい。こうすれば、揮散装置の外部（例えば、図１３中右側）から見た場合、リング部３３が頭部１７と下方鍔部１７ｃとの間に収納されて見えないため、装飾性がより一層向上する。
【００５１】
【発明の効果】
以上説明したように、本発明によれば、液体製剤を用事に効率良く吸液及び揮散させることができる揮散装置を提供できる。
【図面の簡単な説明】
【図１】本発明の第１実施形態である揮散装置を示す全体断面図である。
【図２】図１の柱部を示す要部斜視図である。
【図３】柱部によって遮蔽部材が破断されるときの状態を説明する断面図である。
【図４】蓋部材の形状を説明する蓋部材の斜視図である。
【図５】貯留容器の立設部の形状を説明する立設部の一部を断面視した側面図である。
【図６】立設部に装着されるストッパの形状を説明するストッパの斜視図である。
【図７】蓋部材の外観形状を説明する蓋部材の斜視図である。
【図８】本発明の第２実施形態である揮散装置を示す全体断面図である。
【図９】図８の遮蔽部材および蓋部材の要部破断斜視図である。
【図１０】蓋部材の歯状突部が遮蔽部材の突起部を破断した状態を示す、図８の蓋部材が下降された際の要部断面図である。
【図１１】図８の貯留容器の立設部の形状を説明する立設部の一部を断面視した側面図である。
【図１２】図８のストッパの斜視図である。
【図１３】吸液部材の変形例を説明する一部を断面視した側面図である。
【符号の説明】
１０，３０  揮散装置
１１        貯留容器
１２        吸液部材
１３        遮蔽部材
１３ｄ      突起部
１４        蓋部材
１５        柱部
１６        先端面
１６ａ      突部
１６ｂ      歯状突部
１６ｃ      孔部
１７ｅ      空気穴
１７ｆ      歯状突部
１９        ストッパ
２２        係合突起（第１の係合突起）
２４        係合突起（第２の係合突起）
Ｌ          液体製剤
【図１】
2004230146.tif 000003
【図２】
2004230146.tif 000004
【図３】
2004230146.tif 000005
【図４】
2004230146.tif 000006
【図５】
2004230146.tif 000007
【図６】
2004230146.tif 000008
【図７】
2004230146.tif 000009
【図８】
2004230146.tif 000010
【図９】
2004230146.tif 000011
【図１０】
2004230146.tif 000012
【図１１】
2004230146.tif 000013
【図１２】
2004230146.tif 000014
【図１３】
2004230146.tif 000015